(57)【要約】【課題】原稿を読み込む前に原稿の幅のみしか検知できなくても、用紙の縦方向出力と横方向出力とを適切に選択できる画像形成装置及び画像形成方法を提供する。【解決手段】原稿幅検出部１６が検出した原稿の幅に基づき、原稿予測部２２が原稿サイズを予測し、この予測した原稿サイズと用紙保持部２０に保持された用紙の用紙サイズとに基づいて、用紙方向判定部２４が出力可能な用紙方向を判定する。また、出力時間判定部２６は、上記予測した原稿サイズと複写部数とに基づき用紙の出力方向が縦方向と横方向とのいずれの出力時間が短いかを判定する。印刷装置１８は、縦方向のみ出力可と判定され、または縦方向の出力時間が短いと判定された場合に、上記検出した原稿幅を短手とする用紙に画像形成を行い、これ以外の場合には、原稿読取部１４が読み取った原稿の長さに応じて用紙に画像形成を行う。【選択図】図１
2007101899.tif 000002
【特許請求の範囲】
【請求項１】
原稿の幅を検出する原稿幅検出手段と、
原稿を読み取る原稿読取手段と、
画像形成に使用する用紙を保持する用紙保持手段と、
前記検出した原稿の幅に基づき、原稿サイズを予測する原稿予測手段と、
前記予測した原稿サイズと前記保持された用紙の用紙サイズとに基づいて、出力可能な用紙方向を判定する用紙方向判定手段と、
前記用紙方向判定手段が、縦方向、横方向いずれも出力可と判定した場合に、前記予測した原稿サイズと複写部数とに基づき、前記用紙の出力方向が縦方向と横方向とのいずれの出力時間が短いかを判定する出力時間判定手段と、
前記用紙方向判定手段が、縦方向のみ出力可と判定し、または前記出力時間判定手段が縦方向の出力時間が短いと判定した場合に、前記原稿幅検出手段が検出した原稿幅を短手とする前記用紙に画像形成を行い、前記用紙方向判定手段が、縦方向のみ出力可と判定せず、かつ前記出力時間判定手段が横方向の出力時間が短いと判定した場合に、前記原稿読取手段が読み取った原稿の長さに応じて前記用紙に画像形成を行う印刷手段と、
を備えることを特徴とする画像形成装置。
【請求項２】
請求項１記載の画像形成装置において、前記用紙方向判定手段が、縦方向のみ出力可と判定し、または前記出力時間判定手段が縦方向の出力時間が短いと判定した場合に、前記原稿読取手段の読取動作の結果、前記原稿幅検出手段が検出した原稿の幅を長手とする原稿または非定形サイズの原稿が読み取られたと判明したときには、前記印刷手段は、前記原稿読取手段が読み取った原稿の長さに応じて前記用紙に画像形成を行うことを特徴とする画像形成装置。
【請求項３】
請求項１または請求項２記載の画像形成装置において、前記原稿予測手段は、前記原稿幅検出手段が検出した原稿幅を短手とする定形サイズの原稿を予測し、前記用紙方向判定手段は、前記原稿幅検出手段が検出した原稿幅を短手とする用紙と、前記原稿予測手段が予測した定形サイズの原稿の長手の長さを短手とする用紙と、が前記用紙保持手段に保持されているか否かに基づいて出力可能な用紙方向を判定することを特徴とする画像形成装置。
【請求項４】
請求項１から請求項３のいずれか一項記載の画像形成装置は、前記印刷手段が使用する用紙が前記用紙保持手段に準備されていない場合に、用紙補給メッセージを出力するメッセージ手段をさらに備えることを特徴とする画像形成装置。
【請求項５】
原稿の幅を検出するステップと、
原稿を読み取るステップと、
画像形成に使用する用紙を保持するステップと、
前記検出した原稿の幅に基づき、原稿サイズを予測するステップと、
前記予測した原稿サイズと前記保持された用紙の用紙サイズとに基づいて、出力可能な用紙方向を判定するステップと、
前記出力可能な用紙方向を、縦方向、横方向いずれも出力可と判定した場合に、前記予測した原稿サイズと複写部数とに基づき、前記用紙の出力方向が縦方向と横方向とのいずれの出力時間が短いかを判定するステップと、
前記出力可能な用紙方向を、縦方向のみ出力可と判定し、または前記縦方向の出力時間が短いと判定した場合に、前記検出した原稿幅を短手とする前記用紙に画像形成を行い、前記出力可能な用紙方向を、縦方向のみ出力可と判定せず、かつ前記横方向の出力時間が短いと判定した場合に、前記読み取った原稿の長さに応じて前記用紙に画像形成を行うステップと、
を備えることを特徴とする画像形成方法。
【発明の詳細な説明】
【技術分野】
【０００１】
本発明は、原稿の読込前に原稿サイズを検出する機能を有さない画像形成装置及び画像形成方法の改良に関する。
【背景技術】
【０００２】
従来より、自動給紙選択機能を有したデジタル複写機においては、縦向きに読み込まれた原稿を複写する場合で、かつ横向きの用紙が給紙装置に保持されている場合に、原稿から読み取った画像データを９０度回転し、複写済の用紙を横向きに出力するものがある。これは、用紙の縦方向出力よりも横方向出力の方が用紙を送る距離が短いので、出力に要する時間が短くなるためである。
【０００３】
しかし、複写枚数が少ない場合には、画像データを９０度回転せず、用紙を縦向き出力した方が、全体の出力時間が短い場合があり、その場合にも横向き出力としては、かえって生産性を低下させてしまう。
【０００４】
そこで、下記特許文献１、特許文献２及び特許文献３においては、複写部数等に応じて、画像データを回転して出力するかしないかを判断し、用紙を選択するという方法が提案されている。これらの方法では、原稿読取手段にて原稿を読み取る前に、原稿サイズを検知し、複写部数等により、縦方向出力行うか横方向出力を行うかを判断する。縦向きで出力すると決定した場合には、原稿画像の読み取りと同時に印刷装置への出力を行う。横向きで出力すると決定した場合には、原稿画像を読み込んだ後に９０度回転し、印刷装置への出力を行う。
【特許文献１】特許第３４６９６６９号公報
【特許文献２】特開２００２−３５１１６７号公報
【特許文献３】特開平９−２３８２４９号公報
【発明の開示】
【発明が解決しようとする課題】
【０００５】
しかし、上記従来の技術においては、いずれも、原稿を読み込む前に原稿サイズを検知できる画像読み取り手段を備えていることが前提となっており、原稿を読み込む前に原稿の幅のみしか検知できない広幅複写機には適用できないという問題があった。
【０００６】
本発明は、上記従来の課題に鑑みなされたものであり、その目的は、原稿を読み込む前に原稿の幅のみしか検知できなくても、用紙の縦方向出力と横方向出力とを適切に選択できる画像形成装置及び画像形成方法を提供することにある。
【課題を解決するための手段】
【０００７】
上記目的を達成するために、本発明は、画像形成装置であって、原稿の幅を検出する原稿幅検出手段と、原稿を読み取る原稿読取手段と、画像形成に使用する用紙を保持する用紙保持手段と、前記検出した原稿の幅に基づき、原稿サイズを予測する原稿予測手段と、前記予測した原稿サイズと前記保持された用紙の用紙サイズとに基づいて、出力可能な用紙方向を判定する用紙方向判定手段と、前記用紙方向判定手段が、縦方向、横方向いずれも出力可と判定した場合に、前記予測した原稿サイズと複写部数とに基づき、前記用紙の出力方向が縦方向と横方向とのいずれの出力時間が短いかを判定する出力時間判定手段と、前記用紙方向判定手段が、縦方向のみ出力可と判定し、または前記出力時間判定手段が縦方向の出力時間が短いと判定した場合に、前記原稿幅検出手段が検出した原稿幅を短手とする前記用紙に画像形成を行い、前記用紙方向判定手段が、縦方向のみ出力可と判定せず、かつ前記出力時間判定手段が横方向の出力時間が短いと判定した場合に、前記原稿読取手段が読み取った原稿の長さに応じて前記用紙に画像形成を行う印刷手段と、を備えることを特徴とする。
【０００８】
ここで、上記用紙方向判定手段が、縦方向のみ出力可と判定し、または前記出力時間判定手段が縦方向の出力時間が短いと判定した場合に、前記原稿読取手段の読取動作の結果、前記原稿幅検出手段が検出した原稿の幅を長手とする原稿または非定形サイズの原稿が読み取られたと判明したときには、前記印刷手段は、前記原稿読取手段が読み取った原稿の長さに応じて前記用紙に画像形成を行うことを特徴とする。
【０００９】
また、上記原稿予測手段は、前記原稿幅検出手段が検出した原稿幅を短手とする定形サイズの原稿を予測し、前記用紙方向判定手段は、前記原稿幅検出手段が検出した原稿幅を短手とする用紙と、前記原稿予測手段が予測した定形サイズの原稿の長手の長さを短手とする用紙と、が前記用紙保持手段に保持されているか否かに基づいて出力可能な用紙方向を判定することを特徴とする。
【００１０】
また、上記画像形成装置は、前記印刷手段が使用する用紙が前記用紙保持手段に準備されていない場合に、用紙補給メッセージを出力するメッセージ手段をさらに備えることを特徴とする。
【００１１】
また、本発明は、画像形成方法であって、原稿の幅を検出するステップと、原稿を読み取るステップと、画像形成に使用する用紙を保持するステップと、前記検出した原稿の幅に基づき、原稿サイズを予測するステップと、前記予測した原稿サイズと前記保持された用紙の用紙サイズとに基づいて、出力可能な用紙方向を判定するステップと、前記出力可能な用紙方向を、縦方向、横方向いずれも出力可と判定した場合に、前記予測した原稿サイズと複写部数とに基づき、前記用紙の出力方向が縦方向と横方向とのいずれの出力時間が短いかを判定するステップと、前記出力可能な用紙方向を、縦方向のみ出力可と判定し、または前記縦方向の出力時間が短いと判定した場合に、前記検出した原稿幅を短手とする前記用紙に画像形成を行い、前記出力可能な用紙方向を、縦方向のみ出力可と判定せず、かつ前記横方向の出力時間が短いと判定した場合に、前記読み取った原稿の長さに応じて前記用紙に画像形成を行うステップと、を備えることを特徴とする。
【発明を実施するための最良の形態】
【００１２】
以下、本発明を実施するための最良の形態（以下、実施形態という）を、図面に従って説明する。
【００１３】
図１には、本発明にかかる画像形成装置の構成例のブロック図が示される。図１において、ジョブ制御部１０は、指定されたパラメータによりジョブの制御パラメータを決定し、画像形成装置の動作を制御する。なお、上記パラメータには、給紙選択方法、複写部数、複写倍率等の画像形成に使用するものが含まれ、ユーザにより操作部１２から入力される。この操作部１２は、キーボード、タッチパネル等により構成される。
【００１４】
原稿読取部１４は、原稿が挿入される挿入口を有し、ジョブ制御部１０のスキャン要求を受信したときに、挿入口に挿入された原稿を読み取って画像データを発生し、読み取った原稿の長さとともにジョブ制御部１０に送信する。また、原稿読取部１４には、挿入口に挿入された原稿の原稿幅を検出する原稿幅検出部１６が設けられ、原稿挿入時にその原稿幅を検出してジョブ制御部１０に通知する。なお、原稿読取部１４は、挿入口に挿入された原稿を読み取る型式の他、載置台に載置された原稿を読み取る型式でもよい。
【００１５】
印刷装置１８は、ジョブ制御部１０より受信した印刷要求の内容で、画像データを用紙に形成して印刷を行う。また、印刷装置１８には、画像形成に使用する用紙を保持する用紙保持部２０が備えられている。なお、本実施形態では、ロール紙を印刷用の用紙ととして予定し、印刷装置１８で適宜な長さにカットしながら印刷を行う構成を説明するが、これに限定されるものではなく、当初から所定サイズにカットされている用紙を使用することもできる。
【００１６】
原稿予測部２２は、原稿幅検出部１６が検出した原稿の幅に基づき、原稿サイズを予測する処理を行う。この場合、例えば上記検出した原稿の幅を短手とする定形サイズの原稿を予測するように構成するのが好適である。
【００１７】
用紙方向判定部２４は、原稿予測部２２が予測した原稿サイズと用紙保持部２０に保持された用紙の用紙サイズとに基づいて、出力可能な用紙方向を判定する。例えば、図２に示されるように、Ａ１サイズの短手と同じ幅の原稿が挿入された場合に、Ａ１短手の幅の用紙と、Ａ０短手の幅の用紙とが用紙保持部２０に存在する場合、Ａ１サイズの原稿を縦方向にも横方向にも出力可能なので、縦横何れも可と判定する。また、このときＡ０短手の幅の用紙がない場合には縦方向のみ可と判定する。
【００１８】
用紙選択部２５は、印刷装置１８により印刷出力される用紙のサイズを選択する処理を行う。この処理には、ロール紙のカット長を決定することも含まれる。
【００１９】
出力時間判定部２６は、用紙方向判定部２４が、縦方向、横方向いずれの用紙方向も出力可と判定した場合に、原稿予測部２２が予測した原稿サイズと複写部数とに基づき、用紙の出力方向が縦方向と横方向とのいずれの場合の出力時間が短いかを判定する。この判定動作の詳細は後述する。
【００２０】
メモリ２８は、ジョブ制御部１０の指示により、原稿読取部１４が原稿を読み取って発生した画像データを格納する。このメモリ２８は、例えばＣＰＵの作業用のＲＡＭである。
【００２１】
画像回転部３０は、メモリ２８上の画像データを９０度回転する処理を行う。
【００２２】
原稿判定部３２は、原稿読取部１４による原稿の読取動作が終了したときに、原稿サイズが定形か非定形かを判定する。
【００２３】
メッセージ部３４は、印刷装置１８が画像データの印刷に使用する用紙が用紙保持部２０に準備されていない場合に、ジョブ制御部１０の指示により用紙補給メッセージを出力する。
【００２４】
タイマー部３６は、ジョブ制御部１０からのタイマー起動要求を受信すると、その受信時から指定時間経過後にタイムアウト通知をジョブ制御部１０に発行する等の計時処理を行う。
【００２５】
図３には、図１に示された画像形成装置に原稿を挿入したときの動作例のフローが示される。図３において、ユーザが操作部１２から「倍率１００％」、「自動給紙選択」を指定し、原稿を原稿読取部１４に挿入すると、ジョブ制御部１０が原稿幅検出部１６、用紙保持部２０、原稿予測部２２及び用紙方向判定部２４に指示して、原稿読取部１４が読み取った画像データを用紙へ印刷出力する際の可能な出力方向を調査する（Ｓ１）。この調査動作の詳細は図４で後述する。なお、本調査においては、原稿予測部２２が、挿入された原稿を、原稿幅検出部１６が検出した原稿幅を短手とする定形サイズであると予測している。
【００２６】
上記調査の結果、用紙の出力可能な方向が縦方向及び横方向の両方である場合（Ｓ２）、出力時間判定部２６が、原稿幅を短手とする定形サイズの用紙で縦方向に印刷出力する時間と、画像データを画像回転部３０により回転させて用紙を横方向に印刷出力する時間とを計算する（Ｓ３）。この結果、縦方向に印刷出力する時間の方が短い場合（Ｓ４）、用紙選択部２５が、原稿幅と同一の幅を持つ用紙を縦出力することを決定する（Ｓ５）。一方、Ｓ４において、横方向に印刷出力する時間の方が短い場合、用紙選択部２５は、この段階での出力用紙を「未定」とし、出力用紙の選択を保留する（Ｓ６）。
【００２７】
これに対して、上記調査の結果、用紙の出力可能な方向が縦方向のみであり、横方向には出力できない場合（Ｓ７）にも、用紙選択部２５が、原稿幅と同一の幅を持つ用紙を縦出力することを決定する（Ｓ５）。
【００２８】
さらに、上記調査の結果、用紙の出力可能な方向が、縦方向、横方向ともに出力できないか、横方向のみ可能であり縦方向に出力できない場合（Ｓ７）は、用紙選択部２５は、この段階での出力用紙を「未定」とし、出力用紙の選択を保留する（Ｓ８）。
【００２９】
以上により、出力用紙についての選択またはその保留が決定されると、ジョブ制御部１０は、原稿幅検出部１６が検出した原稿幅×システム最大長分の画像領域をメモリ２８に確保し（Ｓ９）、原稿読取部１４にスキャン要求（読込指示）を発行する（Ｓ１０）。これにより原稿の読み取りが開始されると、原稿読取部１４からジョブ制御部１０に読み取り開始通知が通知される。ジョブ制御部１０は、読み取り開始通知を受け取ったときに、Ｓ５において用紙選択部２５が原稿幅と同一の幅を有する用紙を縦出力することを決定していると、印刷装置１８に対して、用紙サイズを指定して印刷要求を発行する。この場合には、原稿読取部１４による原稿の読み取り動作と印刷装置１８による印刷動作の準備が同時に開始される。また、用紙選択部２５が出力用紙を「未定」としている場合は、原稿幅を短手とする定形サイズの原稿の読み込み完了時間Ｔｔを計算し、（Ｔｔ＋α）時間（αは余裕時間）を設定してタイマー部３６のタイマーを起動する。これ以後の動作は、後述する図５で説明する。
【００３０】
図４には、図３におけるＳ１の動作の詳細フローが示される。図４において、まず原稿幅検出部１６が、挿入された原稿の原稿幅を検出してジョブ制御部１０に通知し、原稿予測部２２がこの原稿幅をジョブ制御部１０から受け取って原稿サイズを予測する（Ｓ１０１）。この場合、原稿予測部２２は、上記原稿幅を短手とする定形サイズであると予測する。
【００３１】
次に、用紙方向判定部２４は、上記原稿幅と同一の幅を有する用紙が用紙保持部２０に保持されているか否かを確認し（Ｓ１０２）、この用紙がある場合には、さらに上記定形サイズの長手を幅とする用紙が用紙保持部２０に保持されているか否かを確認する（Ｓ１０３）。ここで、定形サイズの長手を幅とする用紙がある場合には、用紙方向判定部２４は、出力可能な用紙方向を、「縦可、横可」すなわち縦方向、横方向の何れも可能と判定する（Ｓ１０４）。なお、用紙保持部２０に保持されている用紙のサイズは、ジョブ制御部１０が用紙保持部２０から予め取得して、用紙方向判定部２４に通知おく。
【００３２】
一方、Ｓ１０３において、定形サイズの長手を幅とする用紙がない場合には、用紙方向判定部２４は、出力可能な用紙方向を、「縦可、横不可」すなわち縦方向のみ可能であり、横方向は出力できないと判定する（Ｓ１０５）。
【００３３】
また、Ｓ１０２において、上記原稿幅と同一の幅を有する用紙が用紙保持部２０に保持されていない場合、用紙方向判定部２４は、上記定形サイズの長手を幅とする用紙が用紙保持部２０に保持されているか否かを確認する（Ｓ１０６）。ここで、定形サイズの長手を幅とする用紙がある場合には、用紙方向判定部２４は、出力可能な用紙方向を、「縦不可、横可」すなわち縦方向には出力できず、横方向のみ出力可能と判定する（Ｓ１０７）。
【００３４】
一方、Ｓ１０６において、定形サイズの長手を幅とする用紙がない場合には、用紙方向判定部２４は、出力可能な用紙方向を、「縦不可、横不可」すなわち縦方向、横方向の何れも出力できないと判定する（Ｓ１０８）。
【００３５】
以上により、図３のＳ１の動作が完了する。
【００３６】
次に、図３のＳ３において、出力時間判定部２６が、縦方向に印刷出力する時間と横方向に印刷出力する時間とを計算する手順について説明する。
【００３７】
縦方向出力の場合の出力完了までの時間Ｔｓは、以下のようになる。
【００３８】
Ｔｓ＝原稿読み込み時間＋用紙出力時間ｘ複写部数（ｎ）
【００３９】
また、画像データを９０度回転して、用紙を横方向に出力する場合の出力完了までの時間Ｔｌは、以下のようになる。
【００４０】
Ｔｌ＝原稿読み込み時間＋画像データ回転時間＋出力準備時間＋用紙出力時間ｘ複写部数（ｎ）
【００４１】
ここで、出力準備時間は、ジョブ制御部１０が印刷装置１８に印刷要求を発行してから用紙が印刷開始時の所定位置まで移動するのに要する時間である。ただし、縦方向に印刷出力する場合には、図３のＳ９で説明したように、原稿読取部１４による原稿の読み取り時に印刷要求が発行され、原稿の読み取り中に用紙が印刷開始時の所定位置まで移動するので、実質的に出力準備時間が必要ない。このため、上記Ｔｓには「出力準備時間」の項が含まれていない。
【００４２】
例えば、原稿読取部１４の原稿読み取り速度が８０ｍｍ／秒であり、印刷装置１８の用紙出力速度が６０ｍｍ／秒であり、出力準備時間が８秒であり、画像回転部３０による画像データの回転所要時間が４秒である場合、Ａ１（８４１ｍｍ×５９４ｍｍ）の縦原稿について計算すると、
Ｔｓ＝８４１／８０＋８４１／６０ｘ
ｎ＝１４．０ｎ＋１０．５秒
Ｔｌ＝８４１／８０＋４＋８＋５９４／６０ｘ
ｎ＝９．９ｎ＋２２．５秒
となる。この結果、複写部数が３枚の時が分岐点となり、３枚以上の場合は、横方向出力の方が有利になり、３枚以下の場合は、縦方向出力の方が有利になる。
【００４３】
次に、図３のＳ１０において発行された読込指示に基づき、原稿の読み取り動作が開始された後、原稿読み取り完了前に、ジョブ制御部１０がタイマー部３６のタイマーのタイムアウト通知を受信した場合の処理を説明する。この場合は、原稿の長手長が、原稿の幅を短手とする定形サイズの長手長よりも長いことを示している。すなわち、上記タイムアウト通知を受信した時点で、原稿が非定形サイズと判断でき、出力可能性が「縦可」の場合は、「原稿幅と同一の幅の用紙」を選択し、印刷装置１８にプリント要求を発行する。
【００４４】
図５には、原稿読取部１４による原稿読み取りが完了した後の画像形成装置の動作例のフローが示される。図５において、ジョブ制御部１０は、図３のＳ１０で原稿の読み取りが開始され、印刷装置１８が原稿幅と同一の幅を持つ用紙を縦方向に印刷出力しているか否かを確認する（Ｓ２０１）。ここで、印刷出力中の場合、原稿判定部３２は、原稿が定形サイズか否かを判定する（Ｓ２０２）。この判定には、原稿読み取り完了後に原稿読取部１４から通知される原稿長と原稿幅を使用する。
【００４５】
Ｓ２０２において、原稿が定形サイズであると判定できた場合は、判定された定形サイズの向きにより用紙選択部２５がカット長を求め、印刷装置１８に通知する（Ｓ２０３）。
【００４６】
一方、Ｓ２０２において、原稿が定形サイズではない（非定形サイズ）と判定できた場合には、用紙選択部２５が、原稿読取部１４から通知される原稿長をカット長として印刷装置１８に通知する（Ｓ２０４）。
【００４７】
Ｓ２０３またはＳ２０４においてカット長が通知された印刷装置１８は、その長さで用紙ロールをカットし、カット後の用紙に画像データを印刷する。
【００４８】
また、Ｓ２０１において、原稿幅と同一の幅を持つ用紙を縦方向に印刷出力中でない場合すなわち図３において出力用紙が「未定」とされていた場合は、Ｓ２０２と同様にして原稿判定部３２が、原稿が定形サイズか否かを判定する（Ｓ２０５）。
【００４９】
Ｓ２０５において、原稿が定形サイズであると判定された場合、用紙選択部２５が出力用紙決定処理を行い（Ｓ２０６）、出力用紙が用紙保持部２０にあるか否かを判定する（Ｓ２０７）。用紙保持部２０に出力用紙がある場合には、ジョブ制御部１０が画像データを回転する必要があるか否かを判定する（Ｓ２０８）。図３のＳ４で述べたように、横方向出力の方が出力時間が短いとされて画像データを回転する場合には、画像回転部３０が画像データを回転処理し（Ｓ２０９）、用紙選択部２５が、原稿幅を長手長とする定形サイズの短手長をカット長とし、Ｓ２０６で決定された用紙を指定した印刷要求を印刷装置１８に発行する（Ｓ２１０）。また、Ｓ２０８において、画像データを回転する必要がない場合には、原稿幅を短手長とする定形サイズの長手長をカット長とし、Ｓ２０６で決定された用紙を指定した印刷要求を印刷装置１８に発行する（Ｓ２１０）。印刷装置１８は、この印刷要求に従って画像データの印刷を実行する。
【００５０】
出力用紙決定処理（Ｓ２０６）にて用紙がないとされた場合は（Ｓ２０７）、メッセージ部３４が用紙補給メッセージを表示し、用紙補給待ちとなる（Ｓ２１３）。
【００５１】
一方、Ｓ２０５において、原稿が定形サイズではないと判定された場合、用紙選択部２５が出力用紙として原稿幅と同一の幅の用紙を指定し（Ｓ２１１）、ジョブ制御部１０は用紙選択部２５が指定した用紙及び原稿長をカット長とする印刷要求を印刷装置１８に発行する（Ｓ２１０）。印刷装置１８は、この印刷要求に従って画像データの印刷を実行する。また、用紙選択部２５が用紙がないと判断した場合は（Ｓ２１２）、メッセージ部３４が用紙補給メッセージを表示し、用紙補給待ちとなる（Ｓ２１３）。尚、Ｓ２１２において、用紙があると判断した場合には、当該用紙を指定したプリント要求を印刷装置１８に発行する（Ｓ２１０）。
【００５２】
図６には、原稿の読み取り完了時に、出力用紙が「未定」となっており、原稿が定形サイズの場合の出力用紙決定処理（図５のＳ２０６）のフローが示される。図６において、原稿読取部１４による原稿読み取り完了時に、原稿判定部３２が、原稿が定形サイズであると判定した場合、さらに原稿判定部３２は、原稿の方向が縦置きか横置きかを判定する（Ｓ３０１）。
【００５３】
Ｓ３０１で縦置き原稿の場合、用紙方向判定部２４が判定した用紙の出力可能性が「横可」となっているか否かをジョブ制御部１０が判断する（Ｓ３０２）。「横可」の場合には、図３に示されるように、用紙を縦出力する場合はないので、原稿の定形サイズにおける横置きの用紙を用紙選択部２５が選択する（Ｓ３０３）。この場合、画像回転部３０により画像データを回転することになる。また、Ｓ３０２において、「横可」ではない場合には、原稿サイズの縦置き、横置きの何れの用紙も用紙保持部２０に保持されていないことになる。これは、原稿サイズの横置き用紙がなく、縦置き用紙がある場合は、図３のＳ７、Ｓ５に示されるように、用紙を縦出力するように決定されるからである。そのため、用紙選択部２５による用紙選択は「用紙なし」となる（Ｓ３０４）。
【００５４】
一方、Ｓ３０１において、原稿の方向が横置きの場合、用紙方向判定部２４が判定した用紙の出力可能性が「縦可」となっているか否かをジョブ制御部１０が判断する（Ｓ３０５）。「縦可」となっている場合には、用紙選択部２５が、原稿幅と同一の幅を有する用紙を出力用紙として決定する（Ｓ３０６）。
【００５５】
また、Ｓ３０５において、「縦可」となっていない場合には、原稿幅検出部１６が原稿挿入時に検出した原稿幅と同じ幅の用紙がなく、この原稿幅を短手とする用紙の長手長を幅とする用紙しかないことを意味する。このときには、横置き原稿を印刷できる用紙が用紙保持部２０に保持されていないことになるので、用紙選択部２５による用紙選択は「用紙なし」となる（Ｓ３０４）。
【００５６】
以上により、本実施形態にかかる画像形成装置による印刷動作が終了する。上記構成によれば、原稿を読み込む前に原稿の幅のみしか検知できなくても、用紙の縦方向出力と横方向出力とを適切に選択することができる。
【図面の簡単な説明】
【００５７】
【図１】本発明にかかる画像形成装置の構成例のブロック図である。
【図２】ロール紙と原稿サイズとの関係の説明図である。
【図３】図１の画像形成装置に原稿を挿入したときの動作例のフロー図である。
【図４】図３のフローにおいて、画像データを用紙へ印刷出力する際の可能な出力方向を調査する動作を示すフロー図である。
【図５】原稿読取部による原稿読み取りが完了した後の画像形成装置の動作例のフロー図である。
【図６】原稿読取部による原稿読み取りが完了時に出力用紙が「未定」となっている場合の用紙選択動作のフロー図である。
【符号の説明】
【００５８】
１０  ジョブ制御部、１２  操作部、１４  原稿読取部、１６  原稿幅検出部、１８  印刷装置、２０  用紙保持部、２２  原稿予測部、２４  用紙方向判定部、２５  用紙選択部、２６  出力時間判定部、２８  メモリ、３０  画像回転部、３２  原稿判定部、３４  メッセージ部、３６  タイマー部。
【図１】
2007101899.tif 000003
【図２】
2007101899.tif 000004
【図３】
2007101899.tif 000005
【図４】
2007101899.tif 000006
【図５】
2007101899.tif 000007
【図６】
2007101899.tif 000008